(57)【要約】      （修正有）【課題】体育館や商店街のアーケードのような曲面構造の屋根において、太陽電池モジュールシートが、容易に後付けできる太陽電池の取付構造を提供する。【解決手段】屋根やサイディング１０のベースに、アクリル系の粘着剤を両面に使用したテープにより表面に矢じり６の配列構造を有するスーパーエンジニアリングフィルム８を貼り付ける。太陽電池シート１には、裏面にループ構造４を有する織物２を接合して取付け、両者を係合させるのみで、取付けられる構造を実現した。【選択図】図１
0003165400.tif 000002
【実用新案登録請求の範囲】
【請求項１】
屋根材又はサイディングに、エンジニアリング樹脂からなる矢じり構造の突起を配列させたフィルムを、その裏面に塗布した耐熱性の粘着剤によって貼付け、ついでエンジニアリング樹脂を使用した織物の片面に繊維束のループ構造を形成せしめた布帛と太陽電池モジュールを縫製又は接着によって結合し、矢じりとループ構造の係合により一体化させて使用する太陽電池一体型屋根材及びサイディング構造
【請求項２】
矢じりのベースフィルムが、０．１ｍｍから０．２ｍｍのフレキシブルフィルムであり、矢じりの高さが１ｍｍから３ｍｍであって、１０本から２０本の繊維束ループの高さが３ｍｍ以下であることを特徴とする請求項１の矢じりとループ構造の係合により一体化させて使用する太陽電池一体型屋根材及びサイディング構造
【請求項３】
エンジニアリング樹脂が、フレキシブルなスーパーエンジニアリング樹脂であることを特徴とする請求項１の矢じりとループ構造の係合により一体化させて使用する太陽電池一体型屋根材及びサイディング構造
【請求項４】
スーパーエンジニアリング樹脂が、ポリフェニレンサルファイドであることを特徴とする請求項１の矢じりとループ構造の係合により一体化させて使用する太陽電池一体型屋根材及びサイディング構造
【考案の詳細な説明】
【技術分野】
【０００１】  屋根やサイディング材に、太陽電池モジュールを取付ける技術に関するものであり、施工性と耐久性に優れたフレキシブル太陽電池の新規な取付け構造である。
【背景技術】
【０００２】  公報テキスト検索により公開特許公報及び公開実用新案公報を選択し、太陽電池モジュールの固定及び面ファスナーを検索キーワードとして検索したが、ヒットしなかった。太陽電池の固定及び面ファスナーを検索キーワードにしても同様であった。つぎに、公開特許公報フロントページ検索によって、太陽電池モジュール、屋根への固定及び面ファスナーをキーワードとして、出願人、発明の名称、要約で、公開日を過去１０年間として検索したが、ゼロ件であった。【０００３】  数年来の耐熱性樹脂に関する技術開発により高度なエンジニアリング樹脂やスーパーエンジニアリング樹脂が出現している。すなわち、歴史のあるポリカーボネート樹脂、ポリアセタール樹脂、ナイロン６６樹脂等のエンジニアリング樹脂に加え、ポリエーテルエーテルケトン樹脂、液晶ポリエステル樹脂、ポリイミド樹脂、ポリフェニレンスルフィド樹脂等のスーパーエンジニアリング樹脂が、それぞれの特徴を生かして実用化されている（非特許文献１）。【０００４】これらの中で、建築材料として十分な難燃性を有するものは、ポリエーテルエーテルケトン樹脂、ポリフェニレンスルフィド樹脂である。両者は、ＵＬ規格で、ＵＬ９４Ｖ−１、ＵＬ９４Ｖ−０に適合している。
【先行技術文献】
【非特許文献】
【０００５】
【非特許文献１】エンジニアリングプラスチック  共立出版  ２００４年
【考案の概要】
【考案が解決しようとする課題】
【０００６】  施工性、耐久性を課題として、新規な組立て構造を追求課題とした。１難燃性のスーパーエンジニアリング樹脂による屋外使用の面ファスナー、２難燃性のスーパーエンジニアリング樹脂による面ファスナー用の矢じり型の接合面、３屋根材との粘着剤、とくに耐熱性粘着剤の採用、４スーパーエンジニアリング樹脂繊維と、それを撚糸した繊維束の縦糸と横糸による織物、５織物の片面に、織物から１０本から２０本の繊維束からなるループの形成、しかもループの繊維束の根元は、織物で硬く締められた固定構造、６アーチ状の屋根の建築物にも対応できるフレキシブル太陽電池と一体化した織物と共に、曲面に対応できる矢じりを有するスーパーエンジニアリング樹脂板形成、７屋根やサイディングに施工した矢じり面に対して、太陽電池シートに縫製又は接着により接合したループ面の結合構造、８両面の接合の修正が可能な施工性の実現などが本考案の課題である。
【課題を解決するための手段】
【０００７】    建築基準への適合からＵＬ９４Ｖ−０又はＵＬ９４Ｖ−１の難燃性を有しさらに繊維への成型性、価格等も参考にして、樹脂を選択する。屋根や外壁での使用から熱変形温度や線膨張係数ついても重視して、前者は１３０℃以上、後者は５×１０−５／℃以下を目安にした。さらに、３００℃前後でフィルム押出成型が可能で、繊維にもなりそれが織機によって織物となる樹脂を選択した。
【考案の効果】
【０００８】  芳香族ポリエステル樹脂、ポリエーテルエーテルケトン樹脂等は、融点が３００℃から４００℃であり繊維に紡糸しにくい。フィルムが製造できるスーパーエンジニアリング樹脂の押出成型で、矢じり構造を有するフィルムを製造し、屋根材にアクリル系の粘着剤で取付けて図１ｂを得た。太陽電池モジュールシートは、裏面に繊維束のループ構造を有する織物を重ねて、縫製により縫合させて、図１ａを得た。両者を合体させて、図２を形成させて、太陽光発電の住宅屋根、アーケード、体育館の屋根に施工したが、極めて施工性がよい。既設のものに対しても矢じり構造の貼り付けが実現できれば、太陽電池シートは容易に設置できた。
【図面の簡単な説明】
【０００９】
【図１】ａフレキシブル太陽電池モジュールと面ファスナーのループ側を縫製により一体化した模式図  ｂ屋根材或いはサイディング材と耐熱性の粘着剤一体化した矢じり側の模式図
【図２】図１のａとｂに、別々に示しているａの繊維ループに、ｂの矢じりが貫入して結合した模式図
【考案を実施するための形態】
【００１０】  スーパーエンジニアリング樹脂を所定温度で、押出成型して、屋根材或いはサイディング材に貼付ける片面に１ｍｍから２ｍｍ程度の高さの矢じりの配列したシートを作成する。図１ｂの６、７、８は、一体化したものであり屋根等の曲面に貼り付ける必要があるため、フィルムの厚さは、０．２ｍｍ以下でよい。強い係合力を必要とするときには、矢じりと支柱を大きくする。
【００１１】  一方、フレキシブル太陽電池シートは、裏側にループが来るように、織物の糸の一部をループ状にして織物とする。縦糸と横糸は、十分に打ち込み、安定なループを形成させる。必要な場合には、目止めをしてループを固定しても良い。ループは、１０から２０本の糸を撚って形成させ、束の構造にする。ループの高さは３ｍｍ以下でよい。織物にする繊維には、液晶ポリエステルやポリフェニレンスルフィド樹脂等から選択する。太陽電池シートと織物の接合は、縫製か接着によって行う。
【００１２】  図１ｂに示すように、屋根の上面に矢じりが出ているように、両面にアクリル系の粘着剤のついたアクリルフォームによって矢じり面を固定する。図１ａのように、太陽電池と一体化した織物の下面にループが出ている構造で、図２のように、両者を係合させて、太陽電池の端子や接続コードを収容して、太陽光発電屋根やサイディングを完成させる。
【実施例】
【００１３】  １３０℃で予備乾燥したポリフェニレンスルフィドを、３００℃前後のシリンダー温度で、１３０℃以上の金型から押出成型して、高さ１．５ｍｍの矢じりが配列した構造の０．２ｍｍのフィルムを得た。これを曲面を有するアーケードの表面に沿わして、矢じりの裏面をアクリルフォームの両面に、アクリル系の粘着剤の付いたシートによって貼り付けた。アーケードの断面構造は、図１ｂの模式図が湾曲した構造となった。【００１４】  一方、フレキシブル太陽電池は、片面にポニフェニレンスルフィド繊維の高さ約２ｍｍのループ構造を有する織物と合わせて縫製して一体化させて、図１ａの構造を得た。この太陽電池を縫合した布帛を、ループ面を下にして、アーケードの表面の矢じり面に押付けた。容易に、矢じりは、ループ構造に差し込まれ、図２のような構造が得られた。【００１５】  ポリフェニレンスルフィド樹脂は、比較的柔らかく、ａとｂの係合の位置を変更したいときには、ａとｂを引き剥がして、位置変更すことができる。
【産業上の利用可能性】
【００１６】  自然エネルギーの活用による省エネが、あらゆる分野に浸透しており、新しい産業を生み出している。太陽熱や地熱の利用から、波力発電や風力発電と、自然エネルギーの活用が進展している。太陽光発電も住宅、工場、公共施設に始まり、アーケードやビルの壁面へと拡大している。フレキシブル太陽電池モジュールを、金属製のアーム、ボルト等を使用しないで、曲面構造のアーケードや体育館の屋根に取付けられれば、太陽光発電はさらに普及すると考えられる。本考案の利用可能性は、非常に高いと考えている。
【符号の説明】
【００１７】１  樹脂膜で被覆された太陽電池モジュールの模式図
２  織物の模式図
３  太陽電池のシートにおけるセルとセルの間を示す模式図
４  織物から出ている繊維束ループの模式図
５  織物と太陽電池シートの縫い糸によって縫製して一体化した模式図
６  屋根材側に取付けられているエンジニアリングプラスチックの矢じりの先の模式図
７  エンジニアリングプラスチックの矢じりの支柱の模式図
８  矢じり、支柱と一体化成型により形成しているエンジニアリングプラスチックのフレキシブル板
９  屋根材或いはサイディング材と接合させた粘着剤
１０  屋根材或いはサイディング材
１１  図１のａ及びｂが接合した部分であり、矢じりがループに差し込まれている模式図
【図１】
0003165400.tif 000003
【図２】
0003165400.tif 000004